(57)【要約】【課題】  サービス機能チェーンを有効にする方法及びシステムを提供する。【解決手段】  １又は複数の実施形態では、１又は複数のシステム、方法、及び／又はプロセスは、複数のドメインに関連付けられるサービス機能を含むサービス機能チェーン記述を受信し、ドメインのうちの任意のドメインが外部ノードを無視し又は拒否するのではなく、ノードは、サービス機能チェーン記述に関連付けられるサービス機能チェーンを実装する際に外部ノードと通信するよう構成されて良い。例えば、調停器（例えば、中央調停器）は、サービス機能チェーン記述に基づき、各ドメインの１又は複数のシステムに、制御情報及び／又は構成情報を提供して良い。一例では、調停器は、各ドメインの境界ノードに制御情報及び／又は構成情報を提供して良い。別の例では、調停器は、各ドメインのドメイン制御部に制御情報及び／又は構成情報を提供して良い。【選択図】  図１
2018125837.tif 000002
【特許請求の範囲】
【請求項１】
サービス機能チェーンを有効にする方法であって、前記方法は、
第１管理ドメイン内の第１サービスノードに関連付けられる第１サービス機能と前記第１管理ドメインの外部にある第２サービスノードに関連付けられる第２サービス機能とを含むサービス機能チェーン記述を受信するステップと、
前記サービス機能チェーン記述に基づき及び前記第１管理ドメインの外部にある前記第２サービスノードに関連付けられる前記第２サービス機能に基づき、前記第１サービス機能からのトラフィックを、前記第１管理ドメインの外部にある前記第２サービスノードへ前記トラフィックを転送する前記第１管理ドメインの外部にある第２転送ノードに提供するよう、前記第１管理ドメイン内の第１転送ノードを構成するステップと、
前記第１管理ドメイン内にある前記第１転送ノードが、前記第１サービス機能からの前記トラフィックを、前記第１管理ドメインの外部にある前記第２転送ノードに提供するステップと、
を有する方法。
【請求項２】
前記サービス機能チェーン記述に関連付けられる前記トラフィックを分類し、及び前記サービス機能チェーン記述に関連付けられる前記トラフィックを、前記第１管理ドメイン内の前記第１転送ノードに提供するよう、前記第１管理ドメイン内の第１サービス分類器を構成するステップ、
を更に有する請求項１に記載の方法。
【請求項３】
前記第１転送ノードは、境界ノードである、請求項１に記載の方法。
【請求項４】
前記第１サービス分類器が、前記サービス機能チェーン記述に関連付けられるヘッダを提供するステップ、
を更に有する請求項１に記載の方法。
【請求項５】
前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成する前記ステップは、前記第１管理ドメインに関連付けられるドメイン制御部が、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するステップを有する、請求項１に記載の方法。
【請求項６】
前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成する前記ステップは、前記第１管理ドメイン及び前記第２転送ノードを含む第２管理ドメインに関連付けられる調停器が、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するステップを有する、請求項１に記載の方法。
【請求項７】
前記サービス機能チェーン記述に基づき及び前記第１管理ドメイン内の前記第１サービスノードに関連付けられる前記第１サービス機能に基づき、前記第２サービス機能からの前記トラフィックを、前記第１管理ドメイン内の前記第１サービスノードへ前記トラフィックを転送する前記第１管理ドメイン内の前記第１転送ノードに提供するよう、前記第１管理ドメインの外部にある前記第２転送ノードを構成するステップ、
を更に有する請求項１に記載の方法。
【請求項８】
前記第１管理ドメイン及び前記第２転送ノードを含む第２管理ドメインに関連付けられる調停器から構成情報を受信するステップと、
前記調停器からの前記構成情報を認証するステップと、
を更に有し、
前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成する前記ステップは、前記調停器からの前記構成情報に更に基づく、請求項１に記載の方法。
【請求項９】
第２管理ドメインは、前記第１管理ドメインの外部にある前記第２サービスノードを含み、
単一のネットワークドメインが、前記第１管理ドメイン及び前記第２管理ドメインを含む、
請求項１に記載の方法。
【請求項１０】
サービス機能チェーンを有効にするシステムであって、
プロセッサと、
前記プロセッサに通信可能に結合され、プロセッサ実行可能命令を格納するメモリと、
を有し、
前記プロセッサ実行可能命令が前記プロセッサにより実行されると、前記システムは、
第１管理ドメイン内の第１サービスノードに関連付けられる第１サービス機能と前記第１管理ドメインの外部にある第２サービスノードに関連付けられる第２サービス機能とを含むサービス機能チェーン記述を受信し、
前記サービス機能チェーン記述に基づき及び前記第１管理ドメインの外部にある前記第２サービスノードに関連付けられる前記第２サービス機能に基づき、前記第１サービス機能からのトラフィックを、前記第１管理ドメインの外部にある前記第２サービスノードへ前記トラフィックを転送する前記第１管理ドメインの外部にある第２転送ノードに提供するよう前記第１管理ドメイン内の第１転送ノードを構成し、
前記第１管理ドメイン内にある前記第１転送ノードを介して、前記第１サービス機能からの前記トラフィックを、前記第１管理ドメインの外部にある前記第２転送ノードに提供する、
システム。
【請求項１１】
前記メモリは、更なるプロセッサ実行可能命令を格納し、前記更なるプロセッサ実行可能命令が前記プロセッサにより実行されると、前記システムは、
前記サービス機能チェーン記述に関連付けられる前記トラフィックを分類し、及び前記サービス機能チェーン記述に関連付けられる前記トラフィックを、前記第１管理ドメイン内の前記第１転送ノードに提供するよう、前記第１管理ドメイン内の第１サービス分類器を構成する、
請求項１０に記載のシステム。
【請求項１２】
前記第１転送ノードは、境界ノードである、請求項１０に記載のシステム。
【請求項１３】
前記システムが、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するとき、前記システムは、前記第１転送ノードを構成する前記第１管理ドメインのドメイン制御部を構成する、請求項１０に記載のシステム。
【請求項１４】
前記メモリは、更なるプロセッサ実行可能命令を格納し、前記更なるプロセッサ実行可能命令が前記プロセッサにより実行されると、前記システムは、
前記サービス機能チェーン記述に基づき及び前記第１管理ドメイン内の前記第１サービスノードに関連付けられる前記第１サービス機能に基づき、前記第２サービス機能からの前記トラフィックを、前記第１管理ドメイン内の前記第１サービスノードへ前記トラフィックを転送する前記第１管理ドメイン内の前記第１転送ノードに提供するよう、前記第１管理ドメインの外部にある前記第２転送ノードを構成する、
請求項１０に記載のシステム。
【請求項１５】
第２管理ドメインは、前記第１管理ドメインの外部にある前記第２サービスノードを含み、
単一のネットワークドメインが、前記第１管理ドメイン及び前記第２管理ドメインを含む、
請求項１０に記載のシステム。
【請求項１６】
プロセッサ実行可能命令を格納する非一時的コンピュータ可読記憶装置であって、前記プロセッサ実行可能命令がプロセッサにより実行されると、前記プロセッサは、
第１管理ドメイン内の第１サービスノードに関連付けられる第１サービス機能と前記第１管理ドメインの外部にある第２サービスノードに関連付けられる第２サービス機能とを含むサービス機能チェーン記述を受信し、
前記サービス機能チェーン記述に基づき及び前記第１管理ドメインの外部にある前記第２サービスノードに関連付けられる前記第２サービス機能に基づき、前記第１サービス機能からのトラフィックを、前記第１管理ドメインの外部にある前記第２サービスノードへ前記トラフィックを転送する前記第１管理ドメインの外部にある第２転送ノードに提供するよう、前記第１管理ドメイン内の第１転送ノードを構成し、
前記第１管理ドメイン内にある前記第１転送ノードを介して、前記第１サービス機能からの前記トラフィックを、前記第１管理ドメインの外部にある前記第２転送ノードに提供する、
非一時的コンピュータ可読記憶装置。
【請求項１７】
前記記憶装置は、更なるプロセッサ実行可能命令を格納し、前記更なるプロセッサ実行可能命令が前記プロセッサにより実行されると、前記プロセッサは、
前記サービス機能チェーン記述に関連付けられる前記トラフィックを分類し、及び前記サービス機能チェーン記述に関連付けられる前記トラフィックを、前記第１管理ドメイン内の前記第１転送ノードに提供するよう、前記第１管理ドメイン内の第１サービス分類器を構成する、
請求項１６に記載の非一時的コンピュータ可読記憶装置。
【請求項１８】
前記第１転送ノードは、境界ノードである、請求項１６に記載の非一時的コンピュータ可読記憶装置。
【請求項１９】
前記プロセッサが、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するとき、前記プロセッサは、前記第１転送ノードを構成する前記第１管理ドメインのドメイン制御部を構成する、請求項１６に記載の非一時的コンピュータ可読記憶装置。
【請求項２０】
前記記憶装置は、更なるプロセッサ実行可能命令を格納し、前記更なるプロセッサ実行可能命令が前記プロセッサにより実行されると、前記プロセッサは、
前記サービス機能チェーン記述に基づき及び前記第１管理ドメイン内の前記第１サービスノードに関連付けられる前記第１サービス機能に基づき、前記第２サービス機能からの前記トラフィックを、前記第１管理ドメイン内の前記第１サービスノードへ前記トラフィックを転送する前記第１管理ドメイン内の前記第１転送ノードに提供するよう、前記第１管理ドメインの外部にある前記第２転送ノードを構成する、
請求項１６に記載の非一時的コンピュータ可読記憶装置。
【発明の詳細な説明】
【技術分野】
【０００１】
本開示は、概して、ネットワーク機能仮想化に関し、より具体的には、複数のドメイン内でサービス機能チェーニングを確立するシステム及び方法に関する。
【背景技術】
【０００２】
クラウド及びビッグデータのような新生のネットワークアプリケーションは、１又は複数のデータセンタ（ＤＣ）内の複数のドメイン内に存在するＩＴリソースを共同で考慮することがある。ネットワーク機能仮想化（Network  function  virtualization：ＮＦＶ）は、ネットワーク機能を仮想化し、それらを単独で特定目的のために構築される装置から複数目的の仮想マシンに移行するために使用できる。これは、サービス展開コストを削減し、サービスの柔軟性を向上できる。より多くのサービス機能が地理的に分散したデータセンタ内の仮想マシンに移行するにつれ、及びより多くの個別管理ネットワークオンデマンドがソフトウェア定義ネットワーキング（software  defined  networking：ＳＤＮ）技術により有効にされるにつれ、エンド−エンドネットワークサービスは、複数ネットワークドメインに渡りリソースを調整するために、様々なメカニズムを実装し得る。例えば、ネットワークサービスは、１又は複数の消費者ブロードバンドネットワーク、モバイルバックホールネットワーク、モバイルパケットコアネットワーク、及び／又は仮想私設ネットワークを横断することがある。
【０００３】
サービス機能（Service  function：ＳＦ）は、種々のネットワークの中で展開され得る。ＳＦは、セキュリティ、サーバ負荷平衡、及び広域ネットワーク促進のような広範な機能を提供でき、ＳＦは、ネットワーク基盤の種々のポイントでインスタンス化され得る。サービス機能（ＳＦ）展開は、比較的静的であり及び／又はネットワークトポロジに結合されている。過去におけるように、ＳＦ展開は、インスタンスの仮想化により有効にされる融通性のあるサービス環境に良好に適応しない。しかしながら、データセンタネットワーク及び／又はクラウドアーキテクチャは、より柔軟なＳＲ展開を要求する。さらに、仮想プラットフォームへの遷移は、動的な及び／又は融通性のあるサービス配信に対応できる機敏なサービス挿入モデルを要求し得る。さらに、ＳＦは、トラフィックを必要なサービスに容易にステアリングする能力を要求し得る。
【発明の概要】
【０００４】
本開示は、複数のドメインに関連付けられるサービス機能を含むサービス機能チェーン記述を受信し、ドメインのうちの任意のドメインが外部ノードを無視し又は拒否するのではなく、ノードは、サービス機能チェーン記述に関連付けられるサービス機能チェーンを実装する際に外部ノードと通信するよう構成されて良い、１又は複数のシステム、方法、及び／又はプロセスを提供する。例えば、サービス機能チェーン記述は、第１管理ドメイン内の第１サービスノードに関連付けられる第１サービス機能と、第１管理ドメインの外部にある（例えば第２管理ドメイン内にある）第２サービスノードに関連付けられる第２サービス機能と、を含んで良い。例えば、第１管理ドメイン内の第１転送ノードは、第１サービス機能から、第１管理ドメインの外部にある第２サービスノードへトラフィックを転送する、第１管理ドメインの外部にある（例えば第２ドメイン内にある）第２転送ノードへ、データを提供するよう構成されて良く、第１管理ドメイン内の第１転送ノードは、第１サービス機能から、第１管理ドメインの外部にある第２転送ノードへ、データを提供して良い。
【０００５】
１又は複数の実施形態では、第１管理ドメイン内の第１サービス分類器（例えば、第１サービス分類ノード）は、サービス機能チェーン記述に関連付けられるネットワークトラフィックを分類し、及びサービス機能チェーン記述に関連付けられるネットワークトラフィックを、第１管理ドメイン内の第１転送ノードに提供するよう、を構成されて良い。例えば、第１サービス分類器は、サービス機能チェーン記述に関連付けられるトラフィックをステアリングする及び／又は方向付けるために利用され得るネットワークサービスヘッダを導入し及び／又は提供して良い。例えば、分類器は、トラフィックの分類に基づきサービス機能識別及び／又はネットワークサービスヘッダのラベルを設定して良く、第１転送ノードは、ネットワークサービスヘッダの情報を利用して、トラフィックを第１サービスノードにステアリングし及び／又は方向付けて良い。１又は複数の実施形態では、第１管理ドメインの外部にある（例えば、第２管理ドメイン内の）第２転送ノードは、サービス機能チェーン記述に基づき、及び第１管理ドメイン内の第１サービスノードに関連付けられる第１サービス機能に基づき、第２サービス機能から、第１管理ドメイン内の第１サービスノードへトラフィックを転送する第１管理ドメイン内の第１転送ノードへ、データを提供するよう構成されて良い。例えば、トラフィックは、双方向であって良い。
【図面の簡単な説明】
【０００６】
本発明並びにその特徴及び利点のより完全な理解のため、添付の図と共に以下の説明を参照する。
【図１】１又は複数の実施形態による、分散リソース編成の枠組みの例示的な要素を示す。
【図２】１又は複数の実施形態による、エンド−エンドサービスを提供する複数ネットワークドメインの選択された要素の例示的なブロック図を提供する。
【図３】１又は複数の実施形態による、管理ドメインの例示的なブロック図を提供する。
【図４】１又は複数の実施形態による、例示的な管理ドメインを示す。
【図５Ａ】１又は複数の実施形態による、調停器が複数のドメイン制御部を構成し得る管理ドメインの例示的なブロック図を提供する。
【図５Ｂ】１又は複数の実施形態による、調停器が複数の境界ノードを構成し得る管理ドメインの例示的なブロック図を提供する。
【図６】１又は複数の実施形態による、例示的なデータ処理システムのブロック図を提供する。
【図７】１又は複数の実施形態による、サービス機能チェーンを有効にする方法を示す。
【発明を実施するための形態】
【０００７】
以下の説明では、開示の主題の議論を容易にするために例として詳細事項が説明される。しかしながら、当業者には、開示の実施形態が例示であること及び全ての可能な実施形態を網羅するものではないことが明らかである。
【０００８】
本開示を通じて、ハイフンで結んだ形式の参照符号は、１つの要素の特定のインスタンスを表し、ハイフンを有しない形式の参照符号は、要素を一般的又は集合的に表す。したがって、例として（図示しない）、ウィジェット１２−１は、ウィジェットクラスのインスタンスを表し、ウィジェット１２として集合的に言及されても良く、それらのうちの任意のものがウィジェット１２として一般的に言及されても良い。図及び説明の中で、同様の記号は同様の要素を表す。
【０００９】
１又は複数の実施形態では、編成システムは、特に、拡張／仮想現実、ビデオ配信、ストリーミングメディアサービス、及びＩｏＴ（Internet  of  Things）のようなサービスのライフサイクル管理を提供して良い。例えば、編成システムは、仮想ネットワーク機能（virtual  network  function：ＶＮＦ）及びソフトウェア定義基盤（software  defined  infrastructure：ＳＤＩ）におけるアプリケーション関連サービス機能（service  function：ＳＦ）のリソース割り当て及び／又は展開を提供し及び／又は管理して良い。一例では、ＳＦは、ネットワーク機能仮想化（network  function  virtualization：ＮＦＶ）を介して、特に、ビデオコーデック、キャッシュ、及び分析エンジンのうちの１又は複数を有して良い。別の例では、ＶＮＦは、特に、ファイアウォール、ネットワークアドレス変換（network  address  translation：ＮＡＴ）、ルーティング機能、スイッチング機能、及びディープパケットインスペクション（ＤＰＩ）のうちの１又は複数を有して良い。１又は複数の実施形態では、ＳＤＩは、物理ネットワーク機能（physical  network  function：ＰＮＦ）を有して良い。例えば、ＰＮＦは、ソフトウェア定義ネットワーキング（ＳＤＮ）制御部により制御され得る、特に、光トランスポートシステム、ルータ、及び／又はスイッチを有して良い。１又は複数の実施形態では、編成システムを実装し得る基盤のための高レベル管理及び制御アーキテクチャは、ＮＦＶ基盤（NFV  Infrastructure：ＮＦＶＩ）及びＶＮＦのライフサイクルを管理し得るＮＦＶ管理及び編成（Management  And  Orchestration：ＭＡＮＯ）を有して良い。
【００１０】
１又は複数の実施形態では、編成システムは、リソース管理及び割り当てによりエンド−エンド編成をサポートして良い。例えば、ＳＤＩは、個々のシステム展開及び／又はトラブルシューティングを実現できる複数のリソース固有制御部及び／又は編成器を介して管理されて良い。例えば、データセンタは、クラウドリソース編成器（例えば、OpenStack等）により慣例されて良く、クラウドリソース編成器は、ＳＦ及び／又はＮＶＦにＶＭを提供して良い。１又は複数の実施形態では、種々のＶＭを接続するデータセンタ内ネットワークは、１又は複数のＳＤＮ制御部により管理されて良く、データセンタ間接続のための広域ネットワーク（wide  area  network：ＷＡＮ）は、１又は複数のＳＤＮ制御部の異なるセットにより管理されて良い。例えば、種々のＶＭを接続するデータセンタ内ネットワーク機能を管理する１又は複数のＳＤＮ制御部は、ＯＮＯＳ（例えば、ネットワークオペレーティングシステム）を利用して良く、データセンタ間接続を管理する１又は複数のＳＤＮ制御部は、ＯｐｅｎＤａｙｌｉｇｈｔ（例えば、ソフトウェア定義ネットワーキング及びネットワーク機能仮想化をサポートする枠組み）を利用して良い。
【００１１】
１又は複数の実施形態では、リソース管理の区分化は、複数のネットワークドメインに及ぶ異種機能を有するノード（例えば、ネットワーク及び／又はコンピューティング要素）を有する進化的ＳＤＩを生成し得る。一例では、１又は複数のノードは、サービス機能（例えば、ＳＦ、ＶＮＦ、等）をホスティングして良い。第２の例では、１又は複数のノードは、スイッチ機能（例えば、ルータ、スイッチ、等）を提供して良い。例えば、スイッチ機能を提供し得る１又は複数のノードは、サービス機能をホスティングし得る複数のノードを結合し及び／又は「繋げて（chain）」良い。別の例では、１又は複数のノードは、サービス及びスイッチリソースの両方をホスティングして良い（例えば、ＶＮＦをサポートする内蔵サーバを有する「ホワイトボックス」スイッチ）。例えば、サービス及びスイッチリソースの両方をホスティングし得る１又は複数のノードは、リソース効率の良いチェーンを提供できる。
【００１２】
１又は複数の実施形態では、編成器は、ユーザ要求に対応するために、意志に基づく宣言インタフェースを介してユーザと相互作用して良い。例えば、編成器は、ユーザ要求を１又は複数のＳＦ及び／又はＶＮＦに分割して良く、ユーザ要求に関連付けられるサービスを配信する際に利用可能な転送グラフを提供して良い。１又は複数の実施形態では、編成器は、ＶＮＦ／ＳＦのサイジング及び配置、並びにＳＤＩ内の利用可能リソースに基づくネットワーク接続を提供して良い。例えば、ビデオストリーミングサービスの場合には、編成器は、適切なノードによりコーデックＳＦをインスタンス化し、関連ネットワーク接続をプロビジョニングすることにより、コーデックにストリームをルーティングして良い。このように、１又は複数の実施形態に従って、編成器は、エンド−エンドサービス展開のために、ＶＮＦ、ＳＦ、及び物理ネットワーク装置を共同で考慮するリソース割り当てを実行でき、エンド−エンドサービス自動化を可能にし及び／又はリソース利用を向上する。
【００１３】
１又は複数の実施形態では、エンド−エンドサービスの提供は、１又は複数のＳＦを利用して良い。例えば、ＳＦは、特に、１又は複数のファイアウォール、１又は複数のネットワークアドレス変換（ＮＡＴ）、及び／又は１又は複数のアプリケーション固有機能を有して良い。１又は複数の実施形態では、サービス機能チェーン（service  function  chain：ＳＦＣ）は、トラフィック（例えば、ネットワークデータ）がＳＦＣのＳＦへ及び／又はから「ステアリングされ」及び／又は方向付けられるＳＦの順序付きセットを有して良い。例えば、分類器は、ＳＦＣのＳＦへ及び／又はからトラフィックをステアリングし及び／又は方向付けて良い。例えば、ＳＦＣは、分類に基づきトラフィック、データパケット、データフレーム、及び／又はデータフローであって良い順序付け制約を含んで良い。１又は複数の実施形態では、ＳＦＣは、双方向又は単方向であって良い。例えば、トラフィック、データパケット、データフレーム、及び／又はデータフローは、双方向又は単方向であって良い。
【００１４】
１又は複数の実施形態では、１又は複数のシステム、方法、及び／又はプロセスは、複数のドメインに関連付けられるＳＦを含むＳＦＣ記述を受信し、第１ドメインの要素が第１ドメインの外部にあるノードに関連付けられるＳＦを無視し又は拒否するのではなく、要素は、ＳＦＣ記述に関連付けられるＳＦＣを実装する際に第１ドメインの外部にある１又は複数のノードと通信するよう構成されて良い。一例では、調停器は、複数のドメインに関連付けられるＳＦを含むＳＦＣ記述を受信して良く、ＳＦＣ記述に関連付けられるＳＦＣを実装する際に複数のドメインのドメイン制御部を構成して良い。例えば、ドメイン制御部は、ＳＦＣ記述に関連付けられるＳＦＣを実装する際に、それら個々のドメインの１又は複数の要素を構成して良い。別の例では、調停器は、複数のドメインに関連付けられるＳＦを含むＳＦＣ記述を受信して良く、ＳＦＣ記述に関連付けられるＳＦＣを実装する際に複数のドメインの境界ノードを構成して良い。
【００１５】
図を参照すると、図１は、１又は複数の実施形態による、例示的な分散リソース編成の枠組みの例示的な要素を示す。図示のように、ネットワークドメイン１００は、ネットワーク要素（ＮＥ）であるノードに基づいて良い。図示のように、ネットワークドメイン１００は、ドメイン固有リソース編成器１０２と、物理ネットワーク１１０と、を有して良い。１又は複数の実施形態では、物理ネットワーク１１０は、光トランスポートネットワーク（ＯＴＮ）及び／又は接続の帯域幅を調整するよう構成されるフレキシブル光データプレーン（例えば、フレキシブルトランシーバ）のような、基本光ネットワークを有して良い。
【００１６】
１又は複数の実施形態では、リソース編成器１０２は、ネットワークドメイン１００のリソースの利用を管理し及び／又は調整して良い。例えば、リソース編成器１０２は、１又は複数のＮＥ１１２の利用を管理し及び／又は調整して良い。例えば、ＮＥ１１２は、スイッチ、ルータ、等のような１又は複数の種類のネットワーク機能を有して良く、１又は複数の種類の物理インタフェースを通信可能に結合するハードウェアを有して良い。
【００１７】
図示のように、ネットワークドメイン１００は、種々の距離を有して良いＮＥ１１２−１乃至１１２−６の間の通信可能結合に沿って、ＮＥ１１２−１乃至１１２−６を有して良い。１又は複数の実施形態では、ネットワークドメイン１００は、ネットワーク編成器１０２がリソースの利用を管理し及び／又は調整し得る単一のネットワークドメインのネットワークトポロジを有して良い。
【００１８】
１又は複数の実施形態では、リソース編成器１０２により提供される以外の、ネットワークドメイン１００の１又は複数のネットワーク管理機能は、ＳＤＮ制御部１０４により提供されて良い。例えば、複数のネットワークドメインの利用において、各ネットワークドメインは、個々のＳＤＮ制御部により管理されて良い。例えば、リソース編成器１０２及びＳＤＮ制御部１０４のうちの１又は複数は、ネットワーク１１０の１又は複数のネットワーク構成及び／又は１又は複数のネットワークトポロジを追跡し続けて（例えば、格納して）良い。
【００１９】
１又は複数の実施形態では、ネットワークドメイン１００は、分散型処理アプローチを利用する複数ネットワークドメインに含まれて良い。分散型処理アプローチでは、メッセージが、リソース編成器１０２及び／又はＳＤＮ制御部１０４のような、それぞれが物理ネットワーク１１０のような複数ネットワークドメインの個々のネットワークに関連付けられる、リソース編成器及び／又はネットワーク制御部の間で又はそれらの中で交換される。１又は複数の実施形態では、リソース編成器は、複数ネットワークドメインの中のＳＦＣを実行するために連携して動作して良い。これは、１又は複数の可能なＳＦＣソリューションを識別すること、実行するために１又は複数の可能なＳＦＣソリューションのうちの１又は複数を（例えば、選好及び／又は種々のポリシ、等に依存して）選択すること、１又は複数の選択したソリューションを実施するために種々のネットワークノードの物理リソースを構成すること、を含んで良い。
【００２０】
図示のように、ネットワークドメイン１００は、ＮＦＶマネジャ１０６を有して良い。１又は複数の実施形態では、ＮＦＮマネジャ１０６は、ネットワーク機能の仮想化及び／又は単一の特定目的のために構成される装置から市販サーバ上の多目的仮想マシンへのネットワーク機能の移行において利用できる。これは、サービス展開コストを削減し、及び／又はサービスの柔軟性を向上できる。一例では、ＮＦＶマネジャ１０６は、１又は複数のＶＮＦのインストール及び／又はライフサイクルを管理して良い。例えば、仮想ネットワーク機能（ＶＮＦ）は、仮想マシン（ＶＭ）により及び／又はそれを介して実装されて良い。第２の例では、ＮＦＶマネジャ１０６は、１又は複数のＮＥに関連付けられる情報を格納して良い。例えば、ＮＦＶマネジャ１０６は、特に、ＮＥに関連付けられる、仮想マシン（ＶＭ）の数、ある量の記憶空間が利用可能であること、ある量の記憶空間が利用されていること、のうちの１又は複数を格納して良い。別の例では、ＮＦＶマネジャ１０６は、１又は複数のＮＥに関連付けられる情報をリソース編成器１０２に提供して良い。
【００２１】
１又は複数の実施形態では、リソース編成器１０２、ＳＤＮ制御部１０４、及びＮＦＶマネジャ１０６は、制御プレーン１０１を形成して良く、又は少なくとも制御プレーン１０１の一部を形成して良い。記載のように、制御プレーン１０１の１又は複数の要素は、例えば物理ネットワーク１１０のネットワーク要素を構成し及び／又は制御して良い。
【００２２】
１又は複数の実施形態によると、ＮＦＶマネジャを利用するシステムでは、ＶＮＦは、エンド−エンドサービスを提供する順序で呼び出されて良い。一例では、サービス機能チェーニング（chaining）は、仮想ネットワーク機能を実装する及び／又は実行するために種々のＶＭを構成すること及び／又は割り当てることを含んで良い。別の例では、サービス機能チェーニングは、１又は複数のネットワーク及び／又は１又は複数のネットワークドメインに渡りトラフィックをステアリングし、ルーティングし、及び／又はシェーピングすることを有して良い。例えば、トラフィックフローは、１又は複数の選好及び／又はポリシに基づく順序で、多数のＶＮＦ及び／又はＳＦを介してステアリングされ、ルーティングされ、及び／又はシェーピングされて良い。
【００２３】
１又は複数の実施形態では、サービス機能チェーニングは、リソース編成器の適用によりサポートされて良い。例えば、ここではリソース編成器として参照されるリソース編成器要素は、ＶＮＦを相互接続するために、各データセンタにある１又は複数のリソース（１又は複数のサービス機能、１又は複数の仮想マシン、及び／又は１又は複数のネットワークを含む）並びに関連ネットワークリソースの利用を集合的に及び／又は個々に管理し及び／又は調整して良い。地理的に分散したデータセンタにあるＶＭへのＶＮＦの移行、及びＩＰ／ＯＴＮネットワークにおけるＳＤＮにより制御されるオンデマンド接続の展開により、本願明細書に記載のような複数のネットワークドメインに渡り分散したリソース編成は、１又は複数の実施形態により、エンド−エンドネットワークサービスを提供するのに有利であり得る。例えば、ネットワークサービスは、特に、消費者ブロードバンド、モバイルバックホール、モバイルパケットコア、及び／又は仮想私設ネットワーク（例えば、Fujitsu  Network  Communications  Inc.の１Finity（商標）上で実装されるネットワークを含む）のような複数のネットワークに及んで良い。
【００２４】
１又は複数の実施形態では、大規模複数ネットワークドメインは、複数の異なるドメインを含んで良い。これらのドメインは、種々のネットワークトポロジ、種々のベンダ、種々の管理者、種々の種類のリソース、及び／又は種々の仮想化ネットワークを有して良い。例えば、これらのドメインは、ＩｏＴ装置、コンピューティングリソース、記憶リソース、及び／又は異なる種類のサービス機能（アクセスサービス機能、メトロサービス機能、及び／又はコアサービス機能を含む）の存在するドメインを含んで良い。１又は複数の実施形態では、これらの複数ネットワークドメインは、ドメイン間の信頼性を維持でき、及びサービスプロバイダにとっての拡張性を向上できる。１又は複数の実施形態では、各ネットワークドメインは、ローカル編成器により制御されて良く、編成器の間の頂点中心の（vertex−centric）分散型コンピューティングは、エンド−エンドリソース割り当てのために利用されて良い。
【００２５】
図２を参照すると、１又は複数の実施形態による、エンド−エンドサービスを提供する複数ネットワークドメインの選択された要素の例示的なブロック図が示される。図示のように、複数ネットワークドメイン２００は、４個のネットワークドメイン２１０、２２０、２３０、２４０を有して良い。各ドメイン２１０、２２０、２３０、２４０は、１又は複数の可能なＳＦＣソリューションを決定する際に頂点により表現され得る１又は複数のノードを有して良い。１又は複数の実施形態では、１又は複数のノードは、個々のドメインの中のリソースを利用する１又は複数のサービス機能を実装して良い。
【００２６】
図示のように、ドメイン２１０は、Internet  of  Thingsを表し得る。例えば、ドメイン２１０の１又は複数の装置２１１乃至２１３は、１又は複数のＳＦＣ要求を発行して良い。図示のように、ドメイン２２０は、ＳＦＣに含まれ得るアクセスサービスを提供し得る１又は複数のデータセンタ及び／又は他のエンティティを表して良い。例えば、ドメイン２２０は、特に、サービス２２１乃至２２３を有して良い。図示のように、ドメイン２３０は、ＳＦＣに含まれ得るコンピューティング及び／又は記憶サービスを提供し得る１又は複数のデータセンタ及び／又は他のエンティティを表して良い。例えば、ドメイン２３０は、特に、サービス２３１乃至２３３を有して良い。図示のように、ドメイン２４０は、ＳＦＣに含まれ得るコアサービスを提供し得る１又は複数のデータセンタ及び／又は他のエンティティを表して良い。例えば、ドメイン２４０は、特に、サービス２４１乃至２４３を有して良い。
【００２７】
図示の例では、ドメイン２１０の装置２１１は、少なくとも１つのアクセスサービス、１つのコンピューティング又は記憶サービス、及び１又は複数のサービス機能を含み得るＳＦＣ要求２１４を発行して良い。より具体的には、ＳＦＣ要求２１４は、（ドメイン２２０内のノードのうちの１つで利用可能な）アクセスサービス機能２２３、（ドメイン２３０内のノードのうちの１つで利用可能な）コンピューティング又は記憶サービス機能２３２、及び（ドメイン２４０内のノードのうちの１つで利用可能な）コアサービス機能２４３を含むＳＦＣを指定して良い。
【００２８】
１又は複数の実施形態では、複数ネットワークドメインの中の各ドメインは、物理ノード及び／又はインターネットプロトコル／光トランスポートネットワークリンクを含んで良い。１又は複数の実施形態では、個々のリソース編成器は、ドメイン内の物理ノード及びリンクを管理するために各ネットワークドメインに関連付けられて良い。１又は複数の実施形態では、各物理ノードは、サービス機能カタログから選択されるサービス機能のサブセットを呼び出すことが可能な、１又は複数のＮＥ（例えば、１又は複数のネットワークスイッチ、ネットワークルータ、等）及び／又は１又は複数の計算サーバ及び／又は記憶要素（例えば、データセンタ）を有して良い。
【００２９】
これらの複数ネットワークドメインの中で提供されるサービス機能の幾つかの例は、ファイアウォール、ＤＰＩ、ＮＡＴ、負荷平衡器、及び親制御機能を含む。一例では、ＳＦＣは、ファイアウォールサービス機能、ＤＰＩサービス機能、親制御サービス機能、及びアンチウイルス機能、を含んで良く、これらの各々は、個々の異なるネットワークドメインの中の１又は複数のノードにより提供されて良い。別の例では、ＳＦＣは、２つの他の種類のサービス機能の間の及び／又は他のサービス機能とインターネットアクセスサービス機能との間の、ＮＡＴサービス機能を含んで良い。これらの各々は、個々の異なるネットワークドメインの中の１又は複数のノードにより提供されて良い。
【００３０】
図３を参照すると、１又は複数の実施形態による、管理ドメインの例示的なブロック図が示される。図示のように、ネットワークドメイン１００は、１又は複数の管理ドメイン３００を有して良い。例えば、ネットワークドメイン１００−１は管理ドメイン３００−１１乃至３００−１３を含んで良く、ネットワークドメイン１００−２は管理ドメイン３００−２１乃至３００−２３を含んで良く、ネットワークドメイン１００−３は管理ドメイン３００−３１乃至３００−３３を含んで良い。図示のように、管理ドメイン３００は、互いに通信可能に結合されて良い。
【００３１】
１又は複数の実施形態では、管理ドメインは、ネットワークドメインの１又は複数の構造及び／又は特性を有して良い。一例では、管理ドメインは、ネットワークドメイン内に存在するネットワークドメインであり及び／又はそれに類似して良い。例えば、管理ドメインは、同一場所にある顧客及び／又はエンティティのネットワーク要素及び／又はコンピュータシステムを含んで良い。１又は複数の実施形態では、管理ドメインは、ネットワークドメインであって良い。例えば、ネットワークドメインは、複数の管理ドメインを含まなくて良く、ネットワークドメインは管理ドメインであって良い。
【００３２】
１又は複数の実施形態では、管理ドメイン３００は、ＳＦＣの一部を実装して良い。一例では、管理ドメイン３００−１１は、ＳＦＣの第１部分を実装して良く、管理ドメイン３００−１２はＳＦＣの第２部分を実装して良い。別の例では、管理ドメイン３００−２１はＳＦＣの第１部分を実装して良く、管理ドメイン３００−２３はＳＦＣの第２部分を実装して良く、管理ドメイン３００−３１はＳＦＣの第３部分を実装して良く、管理ドメイン３００−３３はＳＦＣの第４部分を実装して良い。
【００３３】
図４を参照すると、１又は複数の実施形態による、例示的な管理ドメインが示される。図示のように、管理ドメイン４１０−１は、ドメイン制御部４１５−１、分類ノード４２０−１、転送ノード４２５−１１、及びサービスノード４４０−１１及び４４０−１２を有して良い。図示のように、分類ノード４２０−１は転送ノード４２５−１１に通信可能に結合されて良く、転送ノード４２５−１１はサービスノード４４０−１１及び４４０−１２に通信可能に結合されて良い。具体的に図示されないが、ドメイン制御部４１５−１は、分類ノード４２０−１、転送ノード４２５−１１、及びサービスノード４４０−１１及び４４０−１２のうちの１又は複数に通信可能に結合されて良い。１又は複数の実施形態では、ドメイン制御部４１５−１は、管理ドメイン４１０−１の１又は複数のネットワーク要素及び／又はコンピュータシステムに、制御情報及び／又は構成情報を提供して良い。例えば、ドメイン制御部４１５−１は、分類ノード４２０−１、転送ノード４２５−１１、及びサービスノード４４０−１１及び４４０−１２のうちの１又は複数に、制御情報及び／又は構成情報を提供して良い。
【００３４】
図示のように、管理ドメイン４１０−２は、ドメイン制御部４１５−２、分類ノード４２０−２、転送ノード４２５−２１、及びサービスノード４４０−２１及び４４０−２２を有して良い。図示のように、分類ノード４２０−２は転送ノード４２５−２１に通信可能に結合されて良く、転送ノード４２５−２１はサービスノード４４０−２１及び４４０−２２に通信可能に結合されて良い。具体的に図示されないが、ドメイン制御部４１５−２は、分類ノード４２０−２、転送ノード４２５−２１、及びサービスノード４４０−２１及び４４０−２２のうちの１又は複数に通信可能に結合されて良い。１又は複数の実施形態では、ドメイン制御部４１５−２は、管理ドメイン４１０−２の１又は複数のネットワーク要素及び／又はコンピュータシステムに、制御情報及び／又は構成情報を提供して良い。例えば、ドメイン制御部４１５−２は、分類ノード４２０−２、転送ノード４２５−２１、及びサービスノード４４０−２１及び４４０−２２のうちの１又は複数に、制御情報及び／又は構成情報を提供して良い。
【００３５】
図示のように、トラフィック４３０は、分類器４２０により受信され及び／又はそれを介して提供されて良い。１又は複数の実施形態では、トラフィック４３０は、特に、データ、データパケット、データフレーム、ネットワークトラフィック、及び／又はデータフローを有して良い。１又は複数の実施形態では、分類器（例えば、分類ノード４２０）は、トラフィック及び／又はデータストリームを分類するよう構成されて良い。例えば、分類器は、１又は複数のルール及び／又は１又は複数のポリシに基づき、トラフィック及び／又はデータストリームを分類するよう構成されて良い。例えば、１又は複数のルール及び／又は１又は複数のポリシは、１又は複数のカテゴリ（例えば、ウェブ、セキュアシェル、電子メール、リモートプロシジャ呼び出し（remote  procedure  call：ＲＰＣ）、チャット、ビデオ、オーディオ、ＤＨＣＰ（dynamic  host  configuration  protocol）、ＮＡＴ、ＤＮＳ（domain  name  service）、ＩＭＡＰ（Internet  message  access  protocol）等）によりデータ及び／又はトラフィックを分類するよう分類器を構成するために利用されて良い。１又は複数の実施形態では、分類器は、データ及び／又はトラフィックを分類するためにパケットのヘッダを調査して良い。例えば、分類器は、データ及び／又はトラフィックを分類するためにパケットのポート番号を調査して良い。１又は複数の実施形態では、分類器は、データ及び／又はトラフィックを分類するためにパケットのペイロードを調査して良い。例えば、分類器は、ポート番号又はヘッダ情報に関わらず、１又は複数の分類を決定して良い。例えば、分類器は、１又は複数の署名に基づき、１又は複数の分類を決定して良い。
【００３６】
１又は複数の実施形態では、分類器は、処理のために、１又は複数のネットワーク要素及び／又はコンピュータシステムへ、データ及び／又はトラフィックをステアリングし及び／又は方向付けるために情報を提供して良い。例えば、分類器は、データ及び／又はトラフィックをステアリングし及び／又は方向付ける際に利用され得るメタデータを有して良い。１又は複数の実施形態では、分類器は、ネットワークサービスヘッダ（ＮＳＨ）を含み、及び／又はＳＦへデータ及び／又はトラフィックをステアリングし及び／又は方向付けるために転送器により利用され得るＮＳＨを変更して良い。例えば、分類器は、データ及び／又はトラフィックをステアリングし及び／又は方向付けるためにＮＳＨを導入して良い。例えば、分類器は、データ及び／又はトラフィックの分類に基づき、ＳＦＣ識別（ＩＤ）及び／又はＮＳＨのラベルを設定して良い。１又は複数の実施形態では、転送器は、データ及び／又はトラフィックをステアリングし及び／又は方向付ける際にＮＳＨの情報を利用して良い。例えば、転送器は、データ及び／又はトラフィックの分類に関連付けられるＳＦに関連付けられるサービスノードにデータ及び／又はトラフィックを提供するために、ＳＦＣ  ＩＤ及び／又はＮＳＨのラベルを利用して良い。１又は複数の実施形態では、ＮＳＨは、トポロジ独立性を提供して良い。例えば、基礎となるネットワークトポロジは、ＮＳＨを利用するとき変更を必要としなくて良い。図示のように、トラフィック４３０−１は、サービスノード４４０−１１へステアリングされ及び／又は方向付けられて良く、トラフィック４３０−２は、サービスノード４４０−１２へステアリングされ及び／又は方向付けられて良く、トラフィック４３０−１は、サービスノード４４０−２１へステアリングされ及び／又は方向付けられて良く、トラフィック４３０−２は、サービスノード４４０−２２へステアリングされ及び／又は方向付けられて良い。
【００３７】
１又は複数の実施形態では、分類器は、ＳＦＣ及び／又はＳＦＣ記述に関連付けられるトラフィックを分類するよう構成されて良い。一例では、ＳＦＣ及び／又はＳＦＣ記述は、トラフィックの１又は複数のカテゴリを有して良い。第２の例では、ＳＦＣ及び／又はＳＦＣ記述は、１又は複数のアドレスを有して良い。別の例では、ＳＦＣ及び／又はＳＦＣ記述は、ネットワークマスクを有して良い。１又は複数の実施形態では、ＳＦＣ記述は、ＳＦＣ及びＳＦＣ  ＩＤ及び／又はラベルのうちの１又は複数を有して良い。
【００３８】
１又は複数の実施形態では、トラフィック４３０は、ＳＦＣによる１又は複数の処理ステージにおけるデータを有して良い。図示のように、トラフィック４３０は、１又は複数の管理ドメイン４３０を通じる論理経路４３５を横断して良い。一例では、トラフィック４３０−１は、特に、サービスノード４４０−１１及び４４０−２１を含む第１ＳＦＣによる１又は複数の処理ステージにおけるデータを有して良い。例えば、サービスノード４４０−１１及び４４０−２１は、トラフィック４３０−１を処理して良い。別の例では、トラフィック４３０−２は、特に、サービスノード４４０−１２及び４４０−２２を含む第１ＳＦＣによる１又は複数の処理ステージにおけるデータを有して良い。例えば、サービスノード４４０−１２及び４４０−２２は、トラフィック４３０−２を処理して良い。１又は複数の実施形態では、論理経路４３５は、ＲＳＰ（rendered  service  path）であって良い。
【００３９】
図示のように、転送ノード４２５−１１及び４２５−２１は、通信可能に結合されて良い。１又は複数の実施形態では、転送ノード４２５−１１及び４２５−２１は、ネットワークトンネル及び／又はパケットカプセル化により通信可能であって良い。一例では、パケットのカプセル化及び／又はパケットのトンネリングは、物理ネットワークトポロジと独立であり得るオーバレイネットワークトポロジを生成し及び／又は実装できる。別の例では、ネットワークトンネルは、暗号化を利用して良い。例えば、ネットワークトンネルは、ネットワークトンネルが輸送するデータを暗号化して良い。
【００４０】
１又は複数の実施形態では、転送ノード４２５は、１又は複数のＳＦへ及び／又はから、及び／又は別の転送ノード４２５へ及び／又はから、トラフィック４３０を提供し及び／又は受信するよう構成されて良い。一例では、転送ノード４２５−１１は、サービスノード４４０−１１へ及び／から、トラフィック４３０−１を提供し及び／又は受信するよう構成されて良い。第２の例では、転送ノード４２５−１１は、転送ノード４２５−２１へ及び／から、トラフィック４３０−１を提供し及び／又は受信するよう構成されて良い。第３の例では、転送ノード４２５−２１は、サービスノード４４０−２１へ及び／から、トラフィック４３０−１を提供し及び／又は受信するよう構成されて良い。別の例では、転送ノード４２５−２１は、転送ノード４２５−１１へ及び／から、トラフィック４３０−１を提供し及び／又は受信するよう構成されて良い。同様に、転送ノード４２５−１１及び４２５−２１は、トラフィック４３０−２及び論理経路４３５−２に関連付けられるＳＦＣを実装するさらに構成されて良い。
【００４１】
１又は複数の実施形態では、管理ドメイン３１０は、管理ドメイン４１０と共に記載されたものの１又は複数の構造及び／又は特性を有して良い。一例では、管理ドメイン３１０−１１は管理ドメイン４１０−１であって良く、管理ドメイン３１０−１２は管理ドメイン４１０−２であって良い。例えば、管理ドメイン４１０−１及び４１０−２は、単一のネットワークドメインに含まれて良い。別の例では、管理ドメイン３１０−２２は管理ドメイン４１０−１であって良く、管理ドメイン３１０−３３は管理ドメイン４１０−２であって良い。例えば、管理ドメイン４１０−１及び４１０−２は、異なるネットワークドメインに含まれて良い。
【００４２】
図５Ａ及び５Ｂを参照すると、１又は複数の実施形態により、管理ドメインの要素を構成できる調停器の及び管理ドメインの例示的なブロック図が示される。図５Ａに示すように、ＳＦＣ記述５０５は、調停器５１０に提供されて良い。１又は複数の実施形態では、ＳＦＣ記述５０５は、ユーザにより提供されて良い。例えば、管理ユーザは、調停器５１０に、ＳＦＣ記述５０５を書き込み及び／又は提供して良い。１又は複数の実施形態では、ＳＦＣ記述５０５は、システムにより提供されて良い。例えば、システムは、ＳＦＣを決定し、決定したＳＦＣによりＳＦＣ記述５０５を構成し、及び／又はＳＦＣ記述５０５を調停器５１０に提供して良い。
【００４３】
１又は複数の実施形態では、調停器５１０は、関与する管理ドメインへ、ＳＦＣ情報を転送し得る及び／又はＳＦＣ記述５０５に関連付けられる構成情報を提供し得る中央エンティティであって良い。図示のように、調停器５１０は、ドメイン制御部４１５−１及び４１５−２に通信可能に結合されて良い。１又は複数の実施形態では、調停器５１０は、ドメイン制御部４１５−１及び４１５−２に、制御情報及び／又は構成情報を提供して良い。例えば、調停器５０５は、ドメイン制御部４１５−１及び４１５−２に、１又は複数のＳＦＣに関連付けられる制御情報及び／又は構成情報を提供して良い。例えば、１又は複数のＳＦＣに関連付けられる制御情報及び／又は構成情報は、管理ドメイン４１０−１のサービスノード４４０−１１及び管理ドメイン４１０−２のサービスノード４４０−２１を含むＳＦＣ記述５０５に基づいて良い。
【００４４】
１又は複数の実施形態では、ドメイン制御部は、リソース編成器１０２、ＳＤＮ制御部１０４、及びＮＦＶマネジャ１０６のうちの１又は複数を参照して記載したような１又は複数の構造及び／又は１又は複数の機能を有して良い。一例では、ドメイン制御部４１５は、管理ドメイン４１０の１又は複数のネットワーク要素を構成して良い。別の例では、ドメイン制御部４１５は、サービスノード４４０を構成して良い。例えば、サービスノード４４０を構成することは、ＶＭを割り当てる及び／又はインスタンス化するよう及びＳＦを実装するよう（例えば、ＶＭによりＳＦを実装するよう）サービスノード４４０に指示することのうちの１又は複数を有して良い。１又は複数の実施形態では、制御部４１５−１及び４１５−２はそれらの個々の管理ドメインの外部にあるネットワーク要素及び／又はコンピュータシステムを含む構成及び／又は構成部分を受け付けない場合があるので、調停器５１０は、制御部４１５−１及び４１５−２に制御情報及び／又は構成情報を提供して良い。一例では、サービスノード４４０−２１が管理ドメイン４１０−１の外部にあるとき、ドメイン制御部４１５−１は、サービスノード４４０−１１及びサービスノード４４０−２１を含むＳＦＣ記述を受け付けなくて良い。別の例では、サービスノード４４０−１１が管理ドメイン４１０−２の外部にあるとき、ドメイン制御部４１５−２は、サービスノード４４０−１１及びサービスノード４４０−２１を含むＳＦＣ記述を受け付けなくて良い。
【００４５】
１又は複数の実施形態では、ドメイン制御部４１５−１及び４１５−２は、調停器５１０から制御情報及び／又は構成情報を受信し、それら個々の管理ドメインの外部にあるネットワーク要素及び／又はコンピュータシステムに対応するよう、それら個々の管理ドメインの１又は複数の要素を構成して良い。一例では、ドメイン制御部４１５−１は、調停器５１０から制御情報及び／又は構成情報を受信し、転送ノード４２５−２１へトラフィック４３０−１を提供するよう転送ノード４２５−１１を構成して良い。第２の例では、ドメイン制御部４１５−１は、調停器５１０から制御情報及び／又は構成情報を受信し、転送ノード４２５−２１からトラフィック４３０−１を受信するよう転送ノード４２５−１１を構成して良い。第３の例では、ドメイン制御部４１５−２は、調停器５１０から制御情報及び／又は構成情報を受信し、転送ノード４２５−１１にトラフィック４３０−１を提供するよう転送ノード４２５−２１を構成して良い。別の例では、ドメイン制御部４１５−２は、調停器５１０から制御情報及び／又は構成情報を受信し、転送ノード４２５−１１からトラフィック４３０−１を受信するよう転送ノード４２５−２１を構成して良い。
【００４６】
１又は複数の実施形態では、ドメイン制御部４１５−１及び４１５−２は、調停器５１０から制御情報及び／又は構成情報を受信して良く、制御情報及び／又は構成情報を認証して良い。例えば、受信した情報を認証することは、受信した情報が調停器５１０からであることを保証して良い。例えば、受信した情報が認証できない場合、受信した情報は廃棄され及び／又は無視されて良い。１又は複数の実施形態では、ドメイン制御部４１５−１及び４１５−２は、調停器５１０から暗号化された制御情報及び／又は構成情報を受信して良い。一例では、制御情報及び／又は構成情報を暗号化することは、１又は複数のプライベート情報転送を提供して良い。別の例では、制御情報及び／又は構成情報を暗号化することは、制御情報及び／又は構成情報を認証することを提供して良い。
【００４７】
図５Ｂに示すように、調停器５１０は、転送ノード４２５−１１及び４２５−２１に通信可能に結合されて良い。１又は複数の実施形態では、調停器５１０は、転送ノード４２５−１１及び４２５−２１に、制御情報及び／又は構成情報を提供して良い。例えば、制御情報及び／又は構成情報は、ＳＦＣ記述５０５に基づいて良い。一例では、調停器５１０は、転送ノード４２５−２１にトラフィック４３０−１を提供するよう、転送ノード４２５−１１を構成して良い。第２の例では、調停器５１０は、転送ノード４２５−２１からトラフィック４３０−１を受信するよう、転送ノード４２５−１１を構成して良い。第３の例では、調停器５１０は、転送ノード４２５−１１にトラフィック４３０−１を提供するよう、転送ノード４２５−２１を構成して良い。別の例では、調停器５１０は、転送ノード４２５−１１からトラフィック４３０−１を受信するよう、転送ノード４２５−２１を構成して良い。
【００４８】
１又は複数の実施形態では、転送ノード４２５−１１及び４２５−２１は、調停器５１０から制御情報及び／又は構成情報を受信して良く、制御情報及び／又は構成情報を認証して良い。例えば、受信した情報を認証することは、受信した情報が調停器５１０からであることを保証して良い。例えば、受信した情報が認証できない場合、受信した情報は廃棄され及び／又は無視されて良い。１又は複数の実施形態では、転送ノード４２５−１１及び４２５−２１は、調停器５１０から暗号化された制御情報及び／又は構成情報を受信して良い。一例では、制御情報及び／又は構成情報を暗号化することは、１又は複数のプライベート情報転送を提供して良い。別の例では、制御情報及び／又は構成情報を暗号化することは、制御情報及び／又は構成情報を認証することを提供して良い。
【００４９】
図６を参照すると、１又は複数の実施形態による、例示的なデータ処理システムのブロック図が示される。図示のように、データ処理システム６１０は、プロセッサ６２０と、プロセッサ６２０に通信可能に結合されるメモリ６２２と、プロセッサ６２０に通信可能に結合される入力／出力（Ｉ／Ｏ）サブシステム６２８と、を有して良い。
【００５０】
１又は複数の実施形態では、メモリ６２２は、プロセッサ命令６２４及びデータ６２６をある時間期間の間、格納するためのシステム、装置、及び／又は機器を有して良い。例えば、メモリ６２２は、異なる数の物理記憶装置を有して良い。例えば、メモリ６２２は、ＲＡＭ（random  access  memory）、ＥＥＰＲＯＭ（electrically  erasable  programmable  read−only  memory）、ＰＣＭＣＩＡ（personal  computer  memory  card  international  association）カード、強誘電体ＲＡＭ（ＦＲＡＭ(登録商標)）、フラッシュメモリ、１又は複数の固体ディスク、１又は複数のハードディスクドライブ、１又は複数の磁気テープライブラリ、１又は複数の光ディスクドライブ、１又は複数の光磁気ディスクドライブ、１又は複数のコンパクトディスクドライブ、１又は複数のコンパクトディスクアレイ、１又は複数のディスクアレイコントローラ、及び／又は揮発性若しくは不揮発性メモリの任意の適切な選集又はアレイのような様々な種類のコンポーネント及び装置を有して良い。１又は複数の実施形態では、メモリ６２２は、情報（例えば、プロセッサ命令６２４、データ６２６、等）を、非一時的コンピュータ可読媒体であるために十分な又はそれを含むある時間期間の間、格納して良い。１又は複数の実施形態では、メモリ６２２は、不揮発性メモリを有して良い。例えば、不揮発性メモリは、電源がオフにされた後にデータを保持するメモリを表して良い。
【００５１】
１又は複数の実施形態では、プロセッサ命令６２４は、本願明細書に記載の１又は複数の方法、１又は複数の処理、及び／又は１又は複数のシステムを実装するためにプロセッサ６２０により実行可能であって良い。例えば、プロセッサ命令６２４は、本願明細書に記載のフローチャート、方法、及び／又は処理のうちの１又は複数に従う命令により構成され、符号化され、及び／又はエンコードされて良い。例えば、プロセッサ命令６２４は、複数のドメインに渡りシームレスなサービス機能チェーニングを実施する際に、プロセッサ６２０により実行可能であって良い。１又は複数の実施形態では、データ６２６は、プロセッサ６２０により使用可能な情報及び／又はプロセッサ命令６２４を格納して良い。一例では、データ６２６は、ＳＦＣ及び／又はＳＦＣ記述を表す情報を格納して良い。第２の例では、データ６２６は、構成情報及び／又は制御情報を格納して良い。別の例では、データ６２６は、本願明細書に記載の１又は複数の機能及び／又は１又は複数の構造を実装するために利用可能な、１又は複数の任意のデフォルト値及び／又は１又は複数の構成パラメータを表す情報を格納して良い。
【００５２】
１又は複数の実施形態では、Ｉ／Ｏサブシステム６２８は、データ処理システム６１０及び／又はデータ処理システム６１０の関連コンポーネントとの相互作用を許容し及び／又は提供して良い。例えば、Ｉ／Ｏサブシステム６２８は、データ処理システム６１０及び／又はプロセッサ６２０が本願明細書に記載の１又は複数のシステム、処理、及び／又は方法を実施できるようにし得る、特に、１又は複数のバス、１又は複数のシリアルデバイス、及び／又は１又は複数のネットワークインタフェースを有して良い。１又は複数の実施形態では、１又は複数のリソース編成器１０２、１又は複数のＳＮＤ制御部１０４、１又は複数のＮＦＶマネジャ１０６、１又は複数のＮＥ１１２、１又は複数のノード（例えば、１又は複数の分類ノード４２０、１又は複数の転送ノード４２５、１又は複数のサービスノード４４０、等）、及び／又は１又は複数のドメイン制御部４１５は、データ処理システム６１０を参照して記載したものの１又は複数の構造及び／又は機能を有して良い。
【００５３】
図７を参照すると、１又は複数の実施形態による、サービス機能チェーンを有効にする方法が示される。７１０で、第１管理ドメイン内の第１サービスノードに関連付けられる第１サービス機能と、第１管理ドメインの外部にある第２サービスノードに関連付けられる第２サービス機能と、を含むサービス機能チェーン記述が受信されて良い。例えば、第１管理ドメインはドメイン４１０−１であって良く、ＳＦＣ記述５０５は、第１サービスノードに関連付けられる第１サービス機能と、第１管理ドメインの外部にある第２サービスノードに関連付けられる第２サービス機能と、を有して良い。例えば、第１サービスノードは、第１サービス機能を実装するサービスノード４４０−１１であって良く、第２サービスノードは、第１管理ドメイン４１０−１の外部にある、第２サービス機能を実装するサービスノード４４０−２１であって良い。
【００５４】
７１５で、第１サービス分類器は、サービス機能チェーン記述に関連付けられるネットワークトラフィックを分類し、サービス機能チェーン記述に関連付けられるネットワークトラフィックを第１転送ノードに提供するよう構成されて良い。例えば、第１サービス分類器は分類ノード４２０−１であって良く、分類ノード４２０−１はＳＦＣ記述５０５に関連付けられるネットワークトラフィック４３０−１を分類し、ＳＦＣ記述に関連付けられるネットワークトラフィック４３０−１を転送ノード４２５−１１に提供するよう構成されて良い。
【００５５】
７２０で、第１管理ドメイン内の第１転送ノードは、サービス機能チェーン記述に基づき及び第１管理ドメインの外部にある第２サービスノードに関連付けられる第２サービス機能に基づき、第１サービス機能からのデータを、第１管理ドメインの外部にある第２サービスノードへトラフィックを転送する、第１管理ドメインの外部にある第２転送ノードに提供するよう構成されて良い。例えば、転送ノード４２５−１１は、サービスノード４４０−１１から、管理ドメイン４１０−１の外部にある転送ノード４２５−２１（例えば、第２転送ノード）へ、データを提供するよう構成されて良い。一例では、ドメイン制御部４１５−１は、サービスノード４４０−１１から転送ノード４２５−２１へデータを提供するよう、転送ノード４２５−１１を構成して良い。別の例では、調停器５１０は、サービスノード４４０−１１から転送ノード４２５−２１へデータを提供するよう、転送ノード４２５−１１を構成して良い。
【００５６】
７２５で、サービス機能チェーン記述に関連付けられるネットワークトラフィック及びヘッダは、第１転送ノードに提供されて良い。例えば、分類ノード４２０−１は、ＳＦＣ記述５０５に関連付けられるトラフィック４３０−１及びネットワークサービスヘッダを、転送ノード４２５−１１に提供して良い。例えば、ネットワークサービスヘッダは、転送ノード４２５−１１がトラフィック４３０−１をサービスノード４４０−１１へステアリングする及び／又は方向付けるために利用し得るＳＦＣ  ＩＤ及び／又はラベルを有して良い。７３０で、第１サービス機能からのデータは、第１管理ドメインの外部にある第２転送ノードに提供されて良い。例えば、第１転送ノードは、第１サービス機能から、第１管理ドメインの外部にある第２転送ノードへ、データを提供して良い。例えば、転送ノード４２５−１１は、サービスノード４４０−１１から、管理ドメイン４１０−１の外部にある転送ノード４２５−２１へ、データを提供して良い。
【００５７】
以上に開示した主題は、説明のためであり、限定ではないと考えられるべきである。また、添付の特許請求の範囲は、本開示の真の精神及び範囲に包含される全ての変更、拡張及び他の実施形態を包含することを意図している。したがって、法により認められる最大範囲まで、本開示の範囲は、特許請求の範囲及びその等価物の最も広い許容可能な解釈により決定されるべきであり、前述の詳細な説明により限定又は制限されるべきではない。
【００５８】
以上の実施形態に加えて、更に以下の付記を開示する。
（付記１）  サービス機能チェーンを有効にする方法であって、前記方法は、
第１管理ドメイン内の第１サービスノードに関連付けられる第１サービス機能と前記第１管理ドメインの外部にある第２サービスノードに関連付けられる第２サービス機能とを含むサービス機能チェーン記述を受信するステップと、
前記サービス機能チェーン記述に基づき及び前記第１管理ドメインの外部にある前記第２サービスノードに関連付けられる前記第２サービス機能に基づき、前記第１サービス機能からのトラフィックを、前記第１管理ドメインの外部にある前記第２サービスノードへ前記トラフィックを転送する前記第１管理ドメインの外部にある第２転送ノードに提供するよう、前記第１管理ドメイン内の第１転送ノードを構成するステップと、
前記第１管理ドメイン内にある前記第１転送ノードが、前記第１サービス機能からの前記トラフィックを、前記第１管理ドメインの外部にある前記第２転送ノードに提供するステップと、
を有する方法。
（付記２）  前記サービス機能チェーン記述に関連付けられる前記トラフィックを分類し、及び前記サービス機能チェーン記述に関連付けられる前記トラフィックを、前記第１管理ドメイン内の前記第１転送ノードに提供するよう、前記第１管理ドメイン内の第１サービス分類器を構成するステップ、
を更に有する付記１に記載の方法。
（付記３）  前記第１転送ノードは、境界ノードである、付記１に記載の方法。
（付記４）  前記第１サービス分類器が、前記サービス機能チェーン記述に関連付けられるヘッダを提供するステップ、
を更に有する付記１に記載の方法。
（付記５）  前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成する前記ステップは、前記第１管理ドメインに関連付けられるドメイン制御部が、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するステップを有する、付記１に記載の方法。
（付記６）  前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成する前記ステップは、前記第１管理ドメイン及び前記第２転送ノードを含む第２管理ドメインに関連付けられる調停器が、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するステップを有する、付記１に記載の方法。
（付記７）  前記サービス機能チェーン記述に基づき及び前記第１管理ドメイン内の前記第１サービスノードに関連付けられる前記第１サービス機能に基づき、前記第２サービス機能からの前記トラフィックを、前記第１管理ドメイン内の前記第１サービスノードへ前記トラフィックを転送する前記第１管理ドメイン内の前記第１転送ノードに提供するよう、前記第１管理ドメインの外部にある前記第２転送ノードを構成するステップ、
を更に有する付記１に記載の方法。
（付記８）  前記第１管理ドメイン及び前記第２転送ノードを含む第２管理ドメインに関連付けられる調停器から構成情報を受信するステップと、
前記調停器からの前記構成情報を認証するステップと、
を更に有し、
前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成する前記ステップは、前記調停器からの前記構成情報に更に基づく、付記１に記載の方法。
（付記９）  第２管理ドメインは、前記第１管理ドメインの外部にある前記第２サービスノードを含み、
単一のネットワークドメインが、前記第１管理ドメイン及び前記第２管理ドメインを含む、
付記１に記載の方法。
（付記１０）  サービス機能チェーンを有効にするシステムであって、
プロセッサと、
前記プロセッサに通信可能に結合され、プロセッサ実行可能命令を格納するメモリと、
を有し、
前記プロセッサ実行可能命令が前記プロセッサにより実行されると、前記システムは、
第１管理ドメイン内の第１サービスノードに関連付けられる第１サービス機能と前記第１管理ドメインの外部にある第２サービスノードに関連付けられる第２サービス機能とを含むサービス機能チェーン記述を受信し、
前記サービス機能チェーン記述に基づき及び前記第１管理ドメインの外部にある前記第２サービスノードに関連付けられる前記第２サービス機能に基づき、前記第１サービス機能からのトラフィックを、前記第１管理ドメインの外部にある前記第２サービスノードへ前記トラフィックを転送する前記第１管理ドメインの外部にある第２転送ノードに提供するよう前記第１管理ドメイン内の第１転送ノードを構成し、
前記第１管理ドメイン内にある前記第１転送ノードを介して、前記第１サービス機能からの前記トラフィックを、前記第１管理ドメインの外部にある前記第２転送ノードに提供する、
システム。
（付記１１）  前記メモリは、更なるプロセッサ実行可能命令を格納し、前記更なるプロセッサ実行可能命令が前記プロセッサにより実行されると、前記システムは、
前記サービス機能チェーン記述に関連付けられる前記トラフィックを分類し、及び前記サービス機能チェーン記述に関連付けられる前記トラフィックを、前記第１管理ドメイン内の前記第１転送ノードに提供するよう、前記第１管理ドメイン内の第１サービス分類器を構成する、
付記１０に記載のシステム。
（付記１２）  前記第１転送ノードは、境界ノードである、付記１０に記載のシステム。
（付記１３）  前記システムが、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するとき、前記システムは、前記第１転送ノードを構成する前記第１管理ドメインのドメイン制御部を構成する、付記１０に記載のシステム。
（付記１４）  前記メモリは、更なるプロセッサ実行可能命令を格納し、前記更なるプロセッサ実行可能命令が前記プロセッサにより実行されると、前記システムは、
前記サービス機能チェーン記述に基づき及び前記第１管理ドメイン内の前記第１サービスノードに関連付けられる前記第１サービス機能に基づき、前記第２サービス機能からの前記トラフィックを、前記第１管理ドメイン内の前記第１サービスノードへ前記トラフィックを転送する前記第１管理ドメイン内の前記第１転送ノードに提供するよう、前記第１管理ドメインの外部にある前記第２転送ノードを構成する、
付記１０に記載のシステム。
（付記１５）  第２管理ドメインは、前記第１管理ドメインの外部にある前記第２サービスノードを含み、
単一のネットワークドメインが、前記第１管理ドメイン及び前記第２管理ドメインを含む、
付記１０に記載のシステム。
（付記１６）  プロセッサ実行可能命令を格納する非一時的コンピュータ可読記憶装置であって、前記プロセッサ実行可能命令がプロセッサにより実行されると、前記プロセッサは、
第１管理ドメイン内の第１サービスノードに関連付けられる第１サービス機能と前記第１管理ドメインの外部にある第２サービスノードに関連付けられる第２サービス機能とを含むサービス機能チェーン記述を受信し、
前記サービス機能チェーン記述に基づき及び前記第１管理ドメインの外部にある前記第２サービスノードに関連付けられる前記第２サービス機能に基づき、前記第１サービス機能からのトラフィックを、前記第１管理ドメインの外部にある前記第２サービスノードへ前記トラフィックを転送する前記第１管理ドメインの外部にある第２転送ノードに提供するよう、前記第１管理ドメイン内の第１転送ノードを構成し、
前記第１管理ドメイン内にある前記第１転送ノードを介して、前記第１サービス機能からの前記トラフィックを、前記第１管理ドメインの外部にある前記第２転送ノードに提供する、
非一時的コンピュータ可読記憶装置。
（付記１７）  前記記憶装置は、更なるプロセッサ実行可能命令を格納し、前記更なるプロセッサ実行可能命令が前記プロセッサにより実行されると、前記プロセッサは、
前記サービス機能チェーン記述に関連付けられる前記トラフィックを分類し、及び前記サービス機能チェーン記述に関連付けられる前記トラフィックを、前記第１管理ドメイン内の前記第１転送ノードに提供するよう、前記第１管理ドメイン内の第１サービス分類器を構成する、
付記１６に記載の非一時的コンピュータ可読記憶装置。
（付記１８）  前記第１転送ノードは、境界ノードである、付記１６に記載の非一時的コンピュータ可読記憶装置。
（付記１９）  前記プロセッサが、前記サービス機能チェーン記述に基づき及び前記第１管理ドメインの外部にある前記第２サービスノードに関連付けられる前記第２サービス機能に基づき、前記第１サービス機能からの前記トラフィックを、前記第１管理ドメインの外部にある前記第２サービスノードへ前記トラフィックを転送する前記第１管理ドメインの外部にある前記第２転送ノードに提供するよう、前記第１管理ドメイン内の前記第１転送ノードを構成するとき、前記プロセッサは、前記第１転送ノードを構成する前記第１管理ドメインのドメイン制御部を構成する、付記１６に記載の非一時的コンピュータ可読記憶装置。
（付記２０）  前記記憶装置は、更なるプロセッサ実行可能命令を格納し、前記更なるプロセッサ実行可能命令が前記プロセッサにより実行されると、前記プロセッサは、
前記サービス機能チェーン記述に基づき及び前記第１管理ドメイン内の前記第１サービスノードに関連付けられる前記第１サービス機能に基づき、前記第２サービス機能からの前記トラフィックを、前記第１管理ドメイン内の前記第１サービスノードへ前記トラフィックを転送する前記第１管理ドメイン内の前記第１転送ノードに提供するよう、前記第１管理ドメインの外部にある前記第２転送ノードを構成する、
付記１６に記載の非一時的コンピュータ可読記憶装置。
【符号の説明】
【００５９】
１００  ネットワークドメイン
１０１  制御プレーン
１０２  リソース編成器
１０４  ＳＤＮ制御部
１０６  ＮＦＶマネジャ
１１０  物理ネットワーク
１１２  ネットワーク要素（ＮＥ）
【図１】
2018125837.tif 000003
【図２】
2018125837.tif 000004
【図３】
2018125837.tif 000005
【図４】
2018125837.tif 000006
【図５Ａ】
2018125837.tif 000007
【図５Ｂ】
2018125837.tif 000008
【図６】
2018125837.tif 000009
【図７】
2018125837.tif 000010